(57)【要約】【課題】  従来のキャップのように脱落、紛失するおそれが少なく、脚部の長さを極力短くすることが望まれる場合でも、脚部の長さをほれほど長くすることがないバーベキューグリル用アジャスターとする。【解決手段】  バーベキューグリル１０００の脚部５００を構成するパイプ部材５１０の先端に着脱可能に取り付けられるバーベキューグリル用アジャスターであって、前記パイプ部材５１０に抜き差しされるパイプ状のアジャスター本体１００Ａと、このアジャスター本体１００Ａの先端に取り付けられる石突部２００Ａとを備えており、前記石突部２００Ａは、アジャスター本体１００Ａの内側に挿入される小径部２１０Ａと、アジャスター本体１００Ａに挿入されない大径部２２０Ａとが一体に設けられている。【選択図】      図１
2011055993.tif 000002
【特許請求の範囲】
【請求項１】
バーベキューグリルの脚部を構成するパイプ部材の先端に着脱可能に取り付けられるバーベキューグリル用アジャスターにおいて、前記パイプ部材に抜き差しされるパイプ状のアジャスター本体と、このアジャスター本体の先端に取り付けられる石突部とを具備しており、前記石突部は、アジャスター本体の内側に挿入される小径部と、アジャスター本体に挿入されない大径部とが一体に設けられているを特徴とするバーベキューグリル用アジャスター。
【請求項２】
前記大径部には、小径部側に向かって延出された壁部が設けられており、アジャスター本体に石突部が取り付けられた状態で、壁部とアジャスター本体との間には、前記パイプ部材の先端が入り込むことが可能な間隙が設けられていることを特徴とする請求項１記載のバーベキューグリル用アジャスター。
【請求項３】
前記石突部には、軸芯方向の雌ねじ部が形成されており、この雌ねじ部に螺合する雄ねじ部が形成された高さ調整部材を具備することを特徴とする請求項１又は２記載のバーベキューグリル用アジャスター。
【請求項４】
前記アジャスター本体には、バネ部材が内蔵されており、このバネ部材は、アジャスター本体の周壁に開設された開口からロック部が突出しており、バーベキューグリル用アジャスターをパイプ部材に取り付けると、前記ロック部がパイプ部材の内面に弾発的に接触することを特徴とする請求項１、２又は３記載のバーベキューグリル用アジャスター。
【請求項５】
前記アジャスター本体の長さ寸法は、最も短くしたバーベキューグリルの脚部に装着ささた場合でも、石突部の大径部のみが脚部から突出するだけの長さに設定されていることを特徴とする請求項１、２、３又は４記載のバーベキューグリル用アジャスター。
【請求項６】
バーベキューグリルの脚部を構成するパイプ部材の先端に着脱可能に取り付けられるバーベキューグリル用アジャスターにおいて、前記パイプ部材に抜き差しされるパイプ状のアジャスター本体と、このアジャスター本体の先端に取り付けられる石突部とが一体的に設けられていることを特徴とするバーベキューグリル用アジャスター。
【請求項７】
請求項１乃至６記載のバーベキューグリル用アジャスターと、このバーベキューグリル用アジャスターが取り付けられる脚部と、この脚部に支持されるバーベキューグリル本体とを具備したことを特徴とするバーベキューグリル。
【発明の詳細な説明】
【技術分野】
【０００１】
本発明は、バーベキューグリル本体を支持する脚部に取り付けられるバーベキューグリル用アジャスターと、このバーベキューグリル用アジャスターを用いたバーベキューグリルとに関する。
【背景技術】
【０００２】
バーベキューグリルとしては、特開２００３−０６１８３２号公報（特許文献１）に記載されたような炭受け部とを有するバーベキューグリル本体と、このバーベキューグリル本体を支持する脚部とを有するものが一般的である。
【０００３】
【特許文献１】特開２００３−０６１８３２
【発明の開示】
【発明が解決しようとする課題】
【０００４】
この種のバーベキューグリルの脚部は、屋外で使用する場合にはバーベキューグリル本体が高い位置となるように長く、テーブルにバーベキューグリル本体を置いて使用する場合には短くするできるように、複数のパイプ部材を連結して構成されている。
【０００５】
脚部の先端、すなわち地面やテーブルに接する部分には、例えば合成樹脂製の有底筒状のキャップが取り付けられている。脚部を構成するパイプ部材に土が入ったり、テーブルを傷つけないようにするためである。
このキャップは、脚部を構成するパイプ部材に対して簡単に着脱できるようにしてある。すなわち、このキャップは、脚部の長さにかかわらず、最も下側に位置するパイプ部材の先端に取り付けられなければならないものであるため、簡単に着脱可能にしておく必要があるのである。
【０００６】
しかしながら、簡単に着脱できるキャップは、パイプ部材から脱落しやすく、紛失のおそれが高いという問題点がある。
【０００７】
この問題点を解消するため、キャップは特定のパイプ部材に固定的に取り付けておき、このキャップが取り付けられたパイプ部材を最も下側に位置するパイプ部材の先端に着脱可能に取り付けるものが創案されている。
【０００８】
しかしながら、このキャップが固定的に取り付けられる特定のパイプ部材の長さ分だけ脚部が長くなる。特に、テーブルの上で使用する場合のように、脚部の長さを極力短くすることが望まれる場合には、適さないものである。
【０００９】
本発明は、上記事情に鑑みて創案されたもので、従来のキャップのように脱落、紛失するおそれが少なく、脚部の長さを極力短くすることが望まれる場合でも、脚部の長さをほれほど長くすることがないバーベキューグリル用アジャスターを提供することを目的としている。
【課題を解決するための手段】
【００１０】
本発明に係るバーベキューグリル用アジャスターは、バーベキューグリルの脚部を構成するパイプ部材の先端に着脱可能に取り付けられるバーベキューグリル用アジャスターにおいて、前記パイプ部材に抜き差しされるパイプ状のアジャスター本体と、このアジャスター本体の先端に取り付けられる石突部とを具備しており、前記石突部は、アジャスター本体の内側に挿入される小径部と、アジャスター本体に挿入されない大径部とが一体に設けられている。
【００１１】
前記大径部には、小径部側に向かって延出された壁部が設けられており、アジャスター本体に石突部が取り付けられた状態で、壁部とアジャスター本体との間には、前記パイプ部材の先端が入り込むことが可能な間隙が設けられている。
【００１２】
前記石突部には、軸芯方向の雌ねじ部が形成されており、この雌ねじ部に螺合する雄ねじ部が形成された高さ調整部材を有している。
【００１３】
前記アジャスター本体には、バネ部材が内蔵されており、このバネ部材は、アジャスター本体の周壁に開設された開口からロック部が突出しており、バーベキューグリル用アジャスターをパイプ部材に取り付けると、前記ロック部がパイプ部材の内面に弾発的に接触するように構成されている。
【００１４】
前記アジャスター本体の長さ寸法は、最も短くしたバーベキューグリルの脚部に装着ささた場合でも、石突部の大径部のみが脚部から突出するだけの長さに設定されている。
【発明の効果】
【００１５】
本発明に係るバーベキューグリル用アジャスターを脚部を構成するパイプ部材に取り付けても、石突部の大径部のみが脚部を構成するパイプ部材から突出するだけであるので、ほれほど脚部全体の長さを長くすることはない。
特に，テーブルの上で使用する際のように、脚部の長さを極力短くしたい場合に好適である。
また、単なるキャップでなはく、アジャスター本体等があるため、キャップより大きくかつ脚部を構成するパイプ部材に強固に取り付けられるため、脱落、紛失のおそれが少なくなる。
【図面の簡単な説明】
【００１６】
【図１】本発明の第１の実施の形態に係るバーベキューグリル用アジャスターの図面であって、バーベキューグリルの脚部を構成するパイプ部材に取り付けられた状態を示す概略的断面図である。
【図２】本発明の第１の実施の形態に係るバーベキューグリル用アジャスターの変形例の図面であって、バーベキューグリルの脚部を構成するパイプ部材に取り付けられた状態を示す概略的断面図である。
【図３】本発明の第１の実施の形態に係るバーベキューグリル用アジャスターの変形例の図面であって、バーベキューグリルの脚部を構成するパイプ部材に取り付けられた状態を示す概略的断面図である。
【図４】本発明の第２の実施の形態に係るバーベキューグリル用アジャスターの図面であって、バーベキューグリルの脚部を構成するパイプ部材に取り付けられた状態を示す概略的断面図である。
【図５】本発明の第２の実施の形態に係るバーベキューグリル用アジャスターの図面であって、バーベキューグリルの脚部を構成するパイプ部材に取り付けられていない状態を示す概略的断面図である。
【図６】本発明の第３の実施の形態に係るバーベキューグリル用アジャスターの図面であって、バーベキューグリルの脚部を構成するパイプ部材に取り付けられていない状態を示す概略的断面図である。
【図７】本発明の実施の形態に係るバーベキューグリル用アジャスターを用いたバーベキューグリルの図面であって、同図（Ａ）は脚部を最も長くした状態を示す概略的斜視図、同図（Ｂ）は脚部を最も短くした状態を示す概略的斜視図である。
【発明を実施するための形態】
【００１７】
本発明の第１の実施の形態に係るバーベキューグリル用アジャスターＡは、バーベキューグリル１０００の脚部５００を構成するパイプ部材５１０の先端に着脱可能に取り付けられるバーベキューグリル用アジャスターであって、前記パイプ部材５１０に抜き差しされるパイプ状のアジャスター本体１００Ａと、このアジャスター本体１００Ａの先端に取り付けられる石突部２００Ａとを備えており、前記石突部２００Ａは、アジャスター本体１００Ａの内側に挿入される小径部２１０Ａと、アジャスター本体１００Ａに挿入されない大径部２２０Ａとが一体に設けられている。
【００１８】
このバーベキューグリル用アジャスターＡは、図７に示すように、バーベキューグリル１０００の脚部５００を構成するパイプ部材５１０の先端に着脱可能に取り付けられるものである。図７（Ａ）は脚部５００が最も長い場合、図７（Ｂ）は脚部５００が最も短い場合をそれぞれ示している。
【００１９】
前記アジャスター本体１００Ａは、脚部５００を構成するパイプ部材５１０に取り付けることができるように、パイプ部材５１０の内径よりごくわずかに小径のパイプ状部材である。そしてこの、アジャスター本体１００Ａの一端は、内側に向かって若干細径になっている。かかるアジャスター本体１００Ａの長さ寸法は、図７（Ｂ）に示すように、最も短くした脚部５００のパイプ部材５１０に全体が挿入可能な長さのうち、最も長く設定されている（図１参照）。短いと、脚部５００のパイプ部材５１０から不用意に抜け落ちるおそれが高くなるためである。
なお、このアジャスター本体１００Ａは金属又は合成樹脂から構成することが望ましい。
【００２０】
脚部５００を最も短くした場合には、バーベキューグリル用アジャスターＡは、バーベキューグリル本体６００に取り付けられている脚部ベース５２０（パイプ部材５１０の一種である）に取り付けられることになる。この脚部ベース５２０は、図１や図７に示すように湾曲していたり、真っ直ぐな短いパイプ部材がバーベキューグリル本体６００に直接取り付けられていたりするため、アジャスター本体１００Ａの挿入可能な部分が、真っ直ぐな長いパイプ部材５１０より短くなりがちである。
【００２１】
また、前記石突部２００Ａは、合成樹脂から構成されており、小径部２１０Ａ及び大径部２２０Ａが一体に形成されたものである。小径部２１０Ａは、前記アジャスター本体１００Ａの他端、すなわち内側に向かって若干細径になってる側とは反対の端部から挿入される。なお、この石突部２００Ａの小径部２１０Ａの長さ寸法は、アジャスター本体２００Ａの長さの約１／２程度に設定されている。
【００２２】
この石突部２００Ａの大径部２２０Ａは、アジャスター本体２００Ａの内径より大きく設定されている。このため、石突部２００Ａの大径部２２０Ａは、アジャスター本体１００Ａの内部には挿入されないのである。
【００２３】
かかる大径部２２０Ａには、小径部２１０Ａ側に向かって延出された壁部２３０Ａが設けられている。この壁部２３０Ａは、アジャスター本体１００Ａに石突部２００Ａが取り付けられた状態で、壁部２３０Ａとアジャスター本体１００Ａとの間に、前記パイプ部材５１０の先端が入り込むことが可能な間隙Ｇを設けるためのものである。この間隙Ｇを形成することによって、バーベキューグリル用アジャスターＡを脚部５００のパイプ部材５１０に取り付けると、パイプ部材５１０の端部は壁部２３０Ａの内側に隠れることになる。
【００２４】
このため、バーベキューグリル用アジャスターＡをパイプ部材５１０に取り付ける際に指を挟むおそれが少なくなっている。また、バーベキューグリル用アジャスターＡをパイプ部材５１０に取り付ける際に、大径部２２０Ａのみならず壁部２３０Ａも指で掴む部分として使えるため、より安全確実にバーベキューグリル用アジャスターＡをパイプ部材５１０に取り付けることができるのである。もちろん、バーベキューグリル用アジャスターＡをパイプ部材５１０から取り外す際も同様である。
【００２５】
なお、脚部５００を構成するパイプ部材５１０のみならず脚部ベース５２０であってもバーベキューグリル用アジャスターＡの取り付けについては同様である。
【００２６】
さらに、この石突部２００Ａには、軸芯方向の雌ねじ部２４０Ａが形成されている。すなわち大径部２２０Ａから小径部２１０Ａにかけて貫通した雌ねじ部２４０Ａである。この雌ねじ部２４０Ａは、後述する高さ調整部材３００Ａが螺合する部分である。
【００２７】
前記高さ調整部材３００Ａは、いわゆるボルト状の部材であり、前記雌ねじ部２４０Ａに螺合する雄ねじ部３１０Ａと、この雄ねじ部３１０Ａと一体に形成された頭部３２０Ａとを有している。頭部３２０Ａは、石突部２００Ａの大径部２２０Ａとほぼ等しい外径を有しており、周面には指で掴みやすいようにするための凹凸が形成されている。この高さ調整部材３００Ａの螺合具合を調整することにより、脚部５００の長さ、すなわちバーベキューグリル１０００の高さを微妙に調整することができるのである。
【００２８】
このように構成されたバーベキューグリル用アジャスターＡであると、脚部５００を最も短くした場合でも、バーベキューグリル用アジャスターＡのアジャスター本体１００Ａの全長が脚部５００の脚部ベース５２０に確実に挿入されるため、従来のキャップのように容易に脱落したり、紛失したりするおそれを格段に低くすることができる。脚部５００を長くして使用する場合も同様である。
【００２９】
上述した第１の実施の形態に係るバーベキューグリル用アジャスターＡでは、石突部２００Ａに壁部２３０Ａを設けたが、図２に示すように、この壁部は省略することも可能である。ただし、指を挟む危険性や指で掴む部分が短くなったりするというデメリットは存在する。
【００３０】
また、上述した第１の実施の形態に係るバーベキューグリル用アジャスターＡでは、石突部２００Ａに雌ねじ部２４０Ａを設け、この雌ねじ部２４０Ａに螺合する高さ調整部材３００Ａを設けた。しかしながら、脚部５００の長さ、すなわちバーベキューグリル１０００の高さを微妙に調整する必要がないのであれば、図３に示すバーベキューグリル用アジャスターＣのように、雌ねじ部や高さ調整部材を設ける必要はない。
【００３１】
さらに、壁部、高さ調整部材及び雌ねじ部の３つを持たないバーベキューグリル用アジャスターとすることも可能である。
【００３２】
次に、図４及び図５を参照しつつ、本発明の第２の実施の形態に係るバーベキューグリル用アジャスターＤについて説明する。
この第２の実施の形態に係るバーベキューグリル用アジャスターＤでは、第１の実施の形態に係るバーベキューグリル用アジャスターＡにバーベキューグリル用アジャスターＤのロックのためのバネ部材４００Ｄを内蔵したものである。
【００３３】
この第２の実施の形態に係るバーベキューグリル用アジャスターＤは、アジャスター本体１００Ｄにバネ部材４００Ｄが内蔵されており、このバネ部材４００Ｄは、アジャスター本体１００Ｄの周壁に開設された開口１５０Ｄからロック部４１０Ｄが突出しており、バーベキューグリル用アジャスターＤをパイプ部材４１０Ｄに取り付けると、前記ロック部４１０Ｄがパイプ部材５１０や脚部ベース５２０の内面に弾発的に接触するようになっている。
【００３４】
前記バネ部材４００Ｄは、針金を折曲形成したものであって、略レ字形状に折曲したものを短画側の一部をさらに外側に向かって略く字形状に折曲してものである。略く字形状に折曲した部分がロック部４１０Ｄである。
【００３５】
このバネ部材４００Ｄは、一端側がアジャスター本体１００Ｄと石突部２００Ｄとの境目に位置し、レの字の折曲した部分はアジャスター本体１００Ｄから若干飛び出し、ロック部４１０Ｄはアジャスター本体１００Ｄの開口１５０Ｄから外部に突出するようになっている。
【００３６】
かかるバネ部材４００Ｄが内蔵されたバーベキューグリル用アジャスターＤを脚部５００のパイプ部材５１０や脚部ベース５１０に取り付けると、図４に示すように、ロック部４１０Ｄがパイプ部材５１０や脚部ベース５２０の内面に弾発的に接触する。このため、バーベキューグリル用アジャスターＤはより強固にパイプ部材５１０や脚部ベース５１０に取り付けられることになる。
【００３７】
なお、この第２の実施例に係るバーベキューグリル用アジャスターＤでは、バネ部材４００Ｄの存在と、それに伴うアジャスター本体１００Ｄの開口１５０Ｄ以外の部分は、第１の実施例に係るバーベキューグリル用アジャスターＡと同等であるので、それらについての詳細な説明は省略する。
【００３８】
また、この第２の実施の形態に係るバーベキューグリル用アジャスターＤの変形例、すなわち壁部２３０Ｄを設けない構成や、高さ調節部材３００Ｄを設けない構成（それに伴う石突部２００Ｄの雌ねじ部２４０Ｄの省略）についても、上述した第１の実施例に係るバーベキューグリル用アジャスターＡと同等であるので、それらについての詳細な説明は省略する。
【００３９】
上述した第１及び第２の実施の形態に係るバーベキューグリル用アジャスターＡ、Ｄでは、アジャスター本体１００Ａ、１００Ｄと石突部２００Ａ、２００Ｄとは別体であるとしたが、図６に示すように、これらが一体となったものもある。
この第３の実施の形態に係るバーベキューグリル用アジャスターＥは、パイプ状のアジャスター本体１００Ｅと石突部２００Ｅとが同一素材、例えば合成樹脂や金属で構成されたものである。
このように、アジャスター本体１００Ｅと石突部２００Ｅとを一体的に構成すると、両者が不用意に分離したり、がたつきが生じたりすることがないというメリットを有する。
【００４０】
なお、この第３の実施の形態に係るバーベキューグリル用アジャスターＥの場合も、壁部２３０Ｅを設けない構成や、高さ調節部材３００Ｅを設けない構成（それに伴う石突部２００Ｅの雌ねじ部２４０Ｅの省略）についても、上述した第１の実施例に係るバーベキューグリル用アジャスターＡと同等であるので、それらについての詳細な説明は省略する。
【符号の説明】
【００４１】
１００Ａ  アジャスター本体
２００Ａ  石突部
３００Ａ  高さ調節部材
５００    脚部
５１０    パイプ部材
【図１】
2011055993.tif 000003
【図２】
2011055993.tif 000004
【図３】
2011055993.tif 000005
【図４】
2011055993.tif 000006
【図５】
2011055993.tif 000007
【図６】
2011055993.tif 000008
【図７】
2011055993.tif 000009